(57)【要約】      （修正有）【課題】筐体上の結露を防止できる空気調和機を提供する。【解決手段】吸込口及び吹出口５を開口する筐体と、吸込口と吹出口５とを連通させる送風通路７と、送風通路７内に配されるとともに吸込口から室内の空気を流入させて吹出口５から室内に空気を送出する送風機と、吹出口５に設けられて風向を可変する第１ルーバー１０及び第２ルーバー２１とを備え、第１ルーバー１０及び第２ルーバー２１により気流を上方又は略水平方向に吹き出す第１送風状態と、下方に吹き出す第２送風状態とを有し、第１送風状態の時に第１ルーバー１０よりも上方に配される第２ルーバー２１が送風通路７の上壁７ａに沿って配置され、第２ルーバー２１の先端２１ｃが送風通路７の上壁７ａの前端７ｅよりも前方に配される。【選択図】図５
2018025315.tif 000002
【特許請求の範囲】
【請求項１】
吸込口及び吹出口を開口する筐体と、前記吸込口と前記吹出口とを連通させる送風通路と、前記送風通路内に配されるとともに前記吸込口から室内の空気を流入させて前記吹出口から室内に空気を送出する送風機と、前記吹出口に設けられて風向を可変する第１ルーバー及び第２ルーバーと、を備えた空気調和機において、前記吹出口から気流を上方又は略水平方向に吹き出す第１送風状態と、下方に吹き出す第２送風状態とを有し、第１送風状態の時に前記第１ルーバーよりも上方に配される前記第２ルーバーが前記送風通路の上壁に沿って配置され、前記第２ルーバーの先端が前記送風通路の上壁の前端よりも前方に配されることを特徴とする空気調和機。
【請求項２】
前記送風通路の上壁に凹部を設け、前記第１送風状態の時に前記第２ルーバーが後端を前記凹部の後壁に近接して前記凹部内に配されるとともに、前記第２ルーバーの下面の後端と前記凹部の後壁の下端とが略同じ高さに配されることを特徴とする請求項１に記載の空気調和機。
【請求項３】
前記第１送風状態の時に前記第２ルーバーの下面と前記送風通路の前記凹部よりも上流の上壁とが略同一平面上に配されることを特徴とする請求項２に記載の空気調和機。
【請求項４】
前記凹部の上面に沿って配される上下方向に移動可能な可動板を設け、前記第２送風状態の時に前記可動板の下面の後端と前記凹部の後壁の下端とが略同じ高さに配されることを特徴とする請求項２又は３に記載の空気調和機。
【請求項５】
前記可動板が前記第１送風状態の時に前記第２ルーバーにより押し上げられ、前記第２送風状態の時に自重により降下することを特徴とする請求項４に記載の空気調和機。
【請求項６】
前記可動板を下方に付勢する付勢部を設けたことを特徴とする請求項４に記載の空気調和機。
【請求項７】
送風の停止時に第２ルーバーが前記送風通路の上壁に沿って配されるとともに、前記第１ルーバーにより前記吹出口が閉じられ、閉じられた第１ルーバーに当接する突起部を前記第２ルーバーの両側端部に設けたことを特徴とする請求項１〜６のいずれかに記載の空気調和機。
【発明の詳細な説明】
【技術分野】
【０００１】
本発明は、複数のルーバーを備えた空気調和機に関する。
【背景技術】
【０００２】
従来の空気調和機は特許文献１に開示されている。この空気調和機は室内の壁面に取り付けられる室内機と屋外に設置される室外機とを配線により接続する。
【０００３】
室内機の筐体の前面上部及び上面には吸込口が開口し、前面下部には吹出口が開口する。筐体内には吸込口と吹出口とを連通させる送風通路が設けられる。送風通路内には送風機及び熱交換器が配される。送風機により吸込口から室内の空気が送風通路に流入し、熱交換器と熱交換した空気が吹出口から室内に送出される。
【０００４】
吹出口の下端には第１ルーバーが設けられ、第１ルーバーの上方には第２ルーバーが設けられる。第１ルーバー及び第２ルーバーにより吹出口から送出される気流の風向が可変される。
【０００５】
上記構成の空気調和機において、冷房運転では第１ルーバー及び第２ルーバーが略水平に配され、吹出口から気流が略水平方向に送出される。暖房運転では第１ルーバー及び第２ルーバーが略垂直に配され、吹出口から気流が下方に送出される。また、冷房運転または暖房運転を微弱な送風により行う場合には、第１ルーバー及び第２ルーバーが先端を上方に向けて配され、吹出口から気流が斜め上方に送出される。
【先行技術文献】
【特許文献】
【０００６】
【特許文献１】特開２００９−７９８４６号公報（図６）
【発明の概要】
【発明が解決しようとする課題】
【０００７】
しかしながら、上記従来の空気調和機によると、冷房運転時に吹出口から略水平方向または上方に送出する際に、筐体の前壁に沿って冷気が流通する。このため、筐体の前壁に結露が発生する問題があった。
【０００８】
本発明は、筐体上の結露を防止できる空気調和機を提供することを目的とする。
【課題を解決するための手段】
【０００９】
上記目的を達成するために本発明は、吸込口及び吹出口を開口する筐体と、前記吸込口と前記吹出口とを連通させる送風通路と、前記送風通路内に配されるとともに前記吸込口から室内の空気を流入させて前記吹出口から室内に空気を送出する送風機と、前記吹出口に設けられて風向を可変する第１ルーバー及び第２ルーバーと、を備えた空気調和機において、前記吹出口から気流を上方又は略水平方向に吹き出す第１送風状態と、下方に吹き出す第２送風状態とを有し、第１送風状態の時に前記第１ルーバーよりも上方に配される前記第２ルーバーが前記送風通路の上壁に沿って配置され、前記第２ルーバーの先端が前記送風通路の上壁の前端よりも前方に配されることを特徴とする。
【００１０】
また、本発明は上記構成の空気調和機において、前記送風通路の上壁に凹部を設け、前記第１送風状態の時に前記第２ルーバーが後端を前記凹部の後壁に近接して前記凹部内に配されるとともに、前記第２ルーバーの下面の後端と前記凹部の後壁の下端とが略同じ高さに配されることを特徴とする。
【００１１】
また、本発明は上記構成の空気調和機において、前記第１送風状態の時に前記第２ルーバーの下面と前記送風通路の前記凹部よりも上流の上壁とが略同一平面上に配されることを特徴とする。
【００１２】
また、本発明は上記構成の空気調和機において、前記凹部の後壁が傾斜面により形成され、前記第２ルーバーの上面が該傾斜面に沿って形成されることを特徴とする。
【００１３】
また、本発明は上記構成の空気調和機において、前記凹部の上面に沿って配される上下方向に移動可能な可動板を設け、前記第２送風状態の時に前記可動板の下面の後端と前記凹部の後壁の下端とが略同じ高さに配されることを特徴とする。
【００１４】
また、本発明は上記構成の空気調和機において、前記可動板が前記第１送風状態の時に前記第２ルーバーにより押し上げられ、前記第２送風状態の時に自重により降下することを特徴とする。
【００１５】
また、本発明は上記構成の空気調和機において、前記可動板を下方に付勢する付勢部を設けたことを特徴とする。
【００１６】
また、本発明は上記構成の空気調和機において、送風の停止時に第２ルーバーが前記送風通路の上壁に沿って配されるとともに、前記第１ルーバーにより前記吹出口が閉じられ、閉じられた第１ルーバーに当接する突起部を前記第２ルーバーの両側端部に設けたことを特徴とする。
【発明の効果】
【００１７】
本発明によると、気流を上方又は略水平方向に吹き出す第１送風状態の時に第２ルーバーが送風通路の上壁に沿って配置され、第２ルーバーの先端が送風通路の上壁の前端よりも前方に配される。これにより、冷房運転時に冷気が第２ルーバーに沿って送出され、筐体の前壁に沿った冷気の流通が抑制される。これにより、筐体上の結露の発生を防止することができる。
【図面の簡単な説明】
【００１８】
【図１】本発明の第１実施形態の空気調和機を示す斜視図
【図２】本発明の第１実施形態の空気調和機の室内機の正面図
【図３】図２のＡ−Ａ断面図
【図４】本発明の第１実施形態の空気調和機の室内機の吹出口近傍の側面断面図
【図５】本発明の第１実施形態の空気調和機の室内機の吹出口近傍の側面断面図
【図６】本発明の第１実施形態の空気調和機の室内機の吹出口近傍の側面断面図
【図７】本発明の第２実施形態の空気調和機の室内機の吹出口近傍の側面断面図
【図８】本発明の第２実施形態の空気調和機の室内機の吹出口近傍の側面断面図
【図９】本発明の第３実施形態の空気調和機の室内機の吹出口近傍の側面断面図
【発明を実施するための形態】
【００１９】
以下に図面を参照して本発明の実施形態を説明する。図１、図２は第１実施形態の空気調和機１００の斜視図及び室内機１の正面図を示している。空気調和機１００は室内機１及び室外機９９から構成される。室内機１は室内の壁面Ｗに設置され、屋外に設置された室外機９９に配管９８により接続される。室内機１はリモートコントローラ（不図示）の操作により運転開始や運転停止等が指示される。以下の説明において、壁面Ｗに取り付けられる室内機１に向かって上側を上方、下側を下方、左側を左方、右側を右方、手前側を前方、奥側を後方とする。
【００２０】
室内機１は着脱可能なフロントパネル３を前面に配した筐体２により外面を覆われる。筐体２の側面からは電源コード６が導出される。電源コード６は壁面Ｗに設けた電源コンセントＣに接続され、室内機１に電力を供給する。
【００２１】
筐体２の上面には吸込口４が左右方向に延びて開口し、筐体２の前面下部の傾斜面上には吹出口５が左右方向に延びて開口する。
【００２２】
図３は図２のＡ−Ａ断面図を示している。筐体２の内部には吸込口４と吹出口５とを連通させる送風通路７が設けられる。送風通路７内には空気を送出する送風機９が配される。送風機９の駆動によって吸込口４から室内の空気が送風通路７に流入し、吹出口５から送出される。送風機９が備えるファンとしてはクロスフローファンが好適に用いられるが、他の種類の送風機９、例えばプロペラファンを有する送風機を用いてもよい。
【００２３】
送風通路７内の吸込口４と送風機９との間には熱交換器８が配される。熱交換器８は冷凍サイクルに組み込まれており、室外機９９に配した圧縮機（不図示）に接続される。
【００２４】
吹出口５には上下方向の風向を可変するルーバー１０、ルーバー２１及びルーバー２２が設けられる。ルーバー１０（第１ルーバー）は平板状に形成され、後端を中心に回動可能に設けられる。
【００２５】
ルーバー２２は平板状に形成され、ルーバー１０の上方に配される。ルーバー２１（第２ルーバー）はルーバー２２に略平行な平板状に形成され、ルーバー２２よりも前方に突出してルーバー２２の上方に配される。ルーバー２１及びルーバー２２は鉛直な連結部２０で連結され、後端を中心に一体に回動可能に設けられる。
【００２６】
また、吹出口５近傍の送風通路７の上壁７ａには凹部７ｂが設けられる。凹部７ｂはルーバー２１の厚みと略同じ深さに形成される。また、凹部７ｂの後壁７ｃはルーバー２１の後端２１ａに近接する。
【００２７】
上記構成の空気調和機１００において、送風機９を停止した送風停止時にルーバー１０及びルーバー２１は図３に示す原点位置に配置される。原点位置ではルーバー２１が送風通路７の上壁７ａに沿って凹部７ｂ内に配され、ルーバー１０がルーバー２１の先端２１ｃに当接して吹出口５を閉じる。
【００２８】
暖房運転または冷房運転が開始されると、圧縮機及び送風機９が駆動される。これにより、吸込口４から送風通路７に流入した空気が熱交換器８と熱交換し、吹出口５から室内にそれぞれ送出される。
【００２９】
図４は暖房運転の開始時の吹出口５近傍を示す側面断面図である。暖房運転の開始時に空気調和機１００は下方吹出し状態（第２送風状態）に設定される。下方吹出し状態ではルーバー１０、ルーバー２１及びルーバー２２はそれぞれ略平行で前方を下方に向けて傾斜して配置される。これにより、吹出口５から下方に気流（温風）が吹き出され、室内が昇温される。
【００３０】
図５は冷房運転の開始時の吹出口５近傍を示す側面断面図である。冷房運転の開始時に空気調和機１００は水平吹出し状態（第１送風状態）に設定される。水平吹出し状態ではルーバー１０は水平に対して若干前方を下方に向けて傾斜して配置される。ルーバー２１は送風通路７の上壁７ａに沿って凹部７ｂ内に配置され、ルーバー２１及びルーバー２２が略水平に配置される。これにより、吹出口５から略水平方向に気流（冷風）が吹き出され、室内が降温される。
【００３１】
また、暖房運転及び冷房運転を開始して所定期間が経過すると、空気調和機１００は上方吹出し状態（第１送風状態）に設定される。上方吹出し状態では図６に示すように、ルーバー１０は水平に対して若干前方を上方に向けて傾斜して配置される。また、ルーバー２１及びルーバー２２は水平吹出し位置と同じ位置に配置される。これにより、吹出口５から上方に気流が吹き出され、天井壁に到達した気流はコアンダ効果により室内の天井壁を伝って広い範囲に気流が行き届く。これにより、室内の温度を均一に維持することができる。
【００３２】
図５、図６に示すように、水平吹出し状態及び上方吹出し状態ではルーバー２１が送風通路７の上壁７ａに沿って凹部７ｂ内に配される。この時、ルーバー２１の先端２１ｃが送風通路７の上壁７ａの前端７ｅよりも前方に配される。これにより、冷房運転時にルーバー２１の下面２１ｂに沿って送出される冷気が筐体２の前壁２ｂから十分離れ、前壁２ｂ上の結露を防止することができる。
【００３３】
また、凹部７ｂ内に配されるルーバー２１の下面２１ｂの後端２１ａが凹部７ｂの後壁７ｃに近接し、後壁７ｃの下端７ｄと略同じ高さに配される。このため、ルーバー２１の下面２１ｂと、送風通路７の凹部７ｂよりも上流の上壁７ａとが略同一平面上に配される。
【００３４】
これにより、送風通路７の上壁７ａに沿って配されるルーバー２１による段差の形成が防止される。したがって、段差による乱流の発生を防止し、送風効率を向上するとともに騒音を低減することができる。
【００３５】
本実施形態によると、水平吹出し状態（第１送風状態）及び上方吹出し状態（第１送風状態）の時にルーバー２１（第２ルーバー）が送風通路７の上壁７ａに沿って配置され、ルーバー２１の先端２１ｃが送風通路７の上壁７ａの前端７ｅよりも前方に配される。これにより、冷房運転時に冷気がルーバー２１に沿って送出され、筐体２の前壁２ｂに沿った冷気の流通が抑制される。これにより、筐体２上の結露の発生を防止することができる。
【００３６】
また、水平吹出し状態及び上方吹出し状態の時に凹部７ｂ内に配されるルーバー２１の下面２１ｂの後端２１ａと凹部７ｂの後壁７ｃの下端７ｄとが略同じ高さに配される。これにより、ルーバー２１による段差の形成を防止して乱流の発生を防止し、送風効率を向上するとともに騒音を低減することができる。
【００３７】
また、水平吹出し状態及び上方吹出し状態にルーバー２１の下面２１ｂと送風通路７の凹部７ｂよりも上流の上壁７ａとが略同一平面上に配される。これにより、ルーバー２１による段差の形成を容易に防止することができる。
【００３８】
本実施形態において、上方吹出し状態を省いてもよい。また、水平吹出し状態を省き、上方吹出し状態で冷房運転を行ってもよい。
【００３９】
また、凹部７ｂの後壁７ｃを送風通路７の凹部７ｂよりも上流の上壁７ａに連続した傾斜面により形成し、該傾斜面に沿ってルーバー２１の上面を形成してもよい。これにより、下方吹出し状態の時に凹部７ｂの後壁７ｃにより形成される段差による乱流の発生を抑制することができる。
【００４０】
＜第２実施形態＞
次に、図７は第２実施形態の空気調和機１００の室内機１の吹出口５近傍の側面断面図を示している。説明の便宜上、前述の図１〜図６に示す第１実施形態と同様の部分には同一の符号を付している。本実施形態は凹部７ｂに可動板１６が設けられている点が第１実施形態とは異なっている。その他の部分は第１実施形態と同様である。
【００４１】
可動板１６は凹部７ｂの上面に沿う平板状に形成され、上下方向に移動可能に配される。吹出口５の両側端部には降下した可動板１６を係止する係止爪（不図示）が設けられる。
【００４２】
同図に示すように下方吹出し状態の時に可動板１６は自重により降下する。この時、可動板１６の下面１６ｂの後端１６ｃと凹部７ｂの後壁７ｃの下端７ｄとが略同じ高さに配されている。この時、可動板１６の下面１６ｂと送風通路７の凹部７ｂよりも上流の上壁７ａとが略同一平面上に形成される。
【００４３】
これにより、下方吹出し状態（第２送風状態）の時に凹部７ｂの後壁７ｃによる段差の形成が防止される。これにより、段差による乱流の発生を防止し、送風効率を向上するとともに騒音を低減することができる。
【００４４】
図８は水平吹出し状態の吹出口５近傍の側面断面図を示す。水平吹出し状態及び上方吹出し状態では可動板１６がルーバー２１により上方に押し上げられる。この時、ルーバー２１の下面２１ｂと送風通路７の凹部７ｂよりも上流の上壁７ａとが略同一平面上に配される。これにより、第１実施形態と同様に、水平吹出し状態及び上方吹出し状態のルーバー２１による段差形成を防止して乱流を防止することができる。
【００４５】
本実施形態によると、第１実施形態と同様の効果を奏することができる。また、上下に移動可能な可動板１６を設け、下方吹出し状態（第２送風状態）の時に可動板１６の下面１６ｂの後端１６ｃと凹部７ｂの後壁７ｃの下端７ｄとが略同じ高さに配される。これにより、凹部７ｂの後壁７ｃによる段差の形成を防止して乱流の発生を防止し、送風効率を向上するとともに騒音を低減することができる。
【００４６】
また、可動板１６が水平吹出し状態及び上方吹出し状態の時にルーバー２１により押し上げられ、下方吹出し状態の時に自重により降下する。これにより、ルーバー２１の昇降動作を容易に実現できる。
【００４７】
本実施形態において、可動板１６を下方に付勢するバネ等の付勢部（不図示）を可動板１６の上面１６ａに設けてもよい。これにより、下方吹出し状態の時に送風通路７内を流通する気流による可動板１６の浮き上がりを防止することができる。
【００４８】
＜第３実施形態＞
次に、図９は第３実施形態の空気調和機１００の室内機１の吹出口５近傍の側面断面図を示している。説明の便宜上、前述の図１〜図６に示す第１実施形態と同様の部分には同一の符号を付している。本実施形態はルーバー２１の下面２１ｂに突起部１５が設けられる。その他の部分は第１実施形態と同様である。
【００４９】
突起部１５はルーバー２１の下面２１ｂに突設され、ルーバー２１の両側端部に設けられる。
【００５０】
送風停止時にルーバー１０及びルーバー２１は同図に示す原点位置に配置される。原点位置ではルーバー２１が送風通路７の上壁７ａに沿って凹部７ｂ内に配され、ルーバー１０が突起部１５に当接して吹出口５を閉じる。吹出口５の風向を可変する際にルーバー１０及びルーバー２１は原点位置に復帰した後に所定位置に配される。
【００５１】
ルーバー１０及びルーバー２１は経年変化により変形する場合がある。この時、ルーバー１０及びルーバー２１は原点位置に復帰する際に互いに押圧されて変形が矯正される。しかし、ルーバー１０とルーバー２１との当接位置が変動すると、当接位置によって両者が所望の形状に矯正されずに原点位置が変動する可能性がある。
【００５２】
このため、ルーバー２１の両側端部に突起部１５に設けることにより、ルーバー１０の当接位置の変動を防止することができる。これにより、ルーバー１０及びルーバー２１が経年変化により変形しても所定の原点位置に安定して配置される。
【００５３】
本実施形態によると、第１実施形態と同様の効果を奏することができる。また、ルーバー２１（第２ルーバー）の両側端部に突起部１５を設けたので、ルーバー１０及びルーバー２１を原点位置に安定して配置することができる。
【００５４】
なお、本実施形態に第２実施形態を組み合わせた構成でもよい。
【００５５】
以上、本発明の実施形態につき説明したが、本発明の範囲はこれに限定されるものではなく、発明の趣旨を逸脱しない範囲で種々の変更を加えて実施することができる。また、本発明の実施形態のうちいくつか、或いはすべてを組み合わせて用いてもよい。
【００５６】
例えば、ルーバー１０は矩形状の平板で形成されるが、円弧状や婉曲状の平板であってもよい。また、平板状の平板部と婉曲状の婉曲部とを有する構造（上面は平板部で下面が婉曲部、上面が婉曲部で下面が婉曲部など）であってもよい。
【００５７】
また、ルーバー２１平板状に形成されているが、第１送風状態において、凹部７ｂに収まる形状であればよい。例えば、ルーバー２１の下面が平板部で、上面が婉曲部を有する形状であってもよい。
【産業上の利用可能性】
【００５８】
本発明によると、複数のルーバーを備えた空気調和機に利用することができる。
【符号の説明】
【００５９】
１      室内機
２      筐体
２ｂ    前壁
４      吸込口
５      吹出口
７      送風通路
７ａ    上壁
７ｂ    凹部
７ｃ    後壁
８      熱交換器
９      送風機
１０      ルーバー（第１ルーバー）
１５      突起部
１６      可動板
１６ａ    上面
１６ｂ    下面
１６ｃ    後端
２０      連結部
２１      ルーバー（第２ルーバー）
２１ａ    後端
２１ｂ    下面
２１ｃ    先端
２２      ルーバー
９９      室外機
１００      空気調和機
【図１】
2018025315.tif 000003
【図２】
2018025315.tif 000004
【図３】
2018025315.tif 000005
【図４】
2018025315.tif 000006
【図５】
2018025315.tif 000007
【図６】
2018025315.tif 000008
【図７】
2018025315.tif 000009
【図８】
2018025315.tif 000010
【図９】
2018025315.tif 000011